(57)【要約】【課題】スタンド部の形状を維持したまま、灯具の取り付け位置を容易に変更可能として、電気スタンドとしての意匠性を損なうことなく、照明範囲を容易に変更することができる電気スタンドを提供する。【解決手段】電気スタンド１０は、光を照射する灯具１１と、灯具１１を所定の位置に取り付け可能な取り付け領域Ｐを有するスタンド部１２とを具備している。【選択図】図１
2011113751.tif 000002
【特許請求の範囲】
【請求項１】
光を照射する灯具と、
前記灯具を所定の位置に取り付け可能な取り付け領域を有するスタンド部と、
を備えた電気スタンド。
【請求項２】
請求項１に記載の電気スタンドであって、
前記灯具は、前記スタンド部の長手方向に沿って離間し、前記取り付け領域に設けられた複数の灯具取り付け部に取り付けられる電気スタンド。
【請求項３】
請求項１に記載の電気スタンドであって、
前記灯具は、前記取り付け領域に連続して設けられた灯具取り付け部の任意の位置に取り付け可能である電気スタンド。
【請求項４】
請求項１乃至３のいずれかに記載の電気スタンドであって、
前記灯具は、前記取り付け領域に配設された非接触式給電装置を介して電力が供給される電気スタンド。
【発明の詳細な説明】
【技術分野】
【０００１】
本発明は、電気スタンドに係り、より詳細には、光源としての灯具の位置を変更可能な電気スタンドに関する。
【背景技術】
【０００２】
従来、図９及び図１０に示すように、電気スタンド１は、灯具２と、スタンド部３とを備えており、灯具２がスタンド部３の先端部３ａに固定されている。このような電気スタンド１において照明範囲を変更する場合、例えば全体を照明するときには、図９（ａ）及び図１０（ａ）に示すように、スタンド部３を伸ばし、或いは傾けて灯具２を高い位置に配置して照明し、読書の際などに部分照明するときには、図９（ｂ）及び図１０（ｂ）に示すように、スタンド部３を縮めて、或いは水平にして灯具２を低い位置に配置することにより照明範囲を変更していた。
【０００３】
また、第１部材が、第２部材に対して略垂直となる位置と、略平行となる位置との２位置間で約９０度回動可能とした回動機構を電気スタンドに適用して、アームを開閉可能としたもの（例えば、特許文献１参照。）、或いは、ランプが収納された隣接する一対のケースを垂直軸を回転中心として開閉可能に配置して、閉位置と開位置とでケースの形態を変化させることにより、面白みのある斬新なデザインを意図した発光装置（例えば、特許文献２参照。）が開示されている。
【先行技術文献】
【特許文献】
【０００４】
【特許文献１】特開２００３−３２９０２８号公報
【特許文献２】特開２０００−０９０７０９号公報
【発明の概要】
【発明が解決しようとする課題】
【０００５】
しかしながら、図９及び図１０に記載の電気スタンド１は、スタンド部３の先端部３ａに灯具２が固定されているため、照明範囲を変更しようとすると、スタンド部３の形態を変更しなければならず、結果として電気スタンド１の全体としての意匠性が損なわれる虞があった。この点は特許文献１の電気スタンドも同様である。また、特許文献２の発光装置は、主に街路灯を対象として面白みのある斬新なデザインの発光装置にすることを意図したものであり、外観の意匠性が変化してしまうことになる。
【０００６】
本発明は、前述した課題に鑑みてなされたものであり、その目的は、スタンド部の形状を維持したまま、灯具の取り付け位置を容易に変更可能として、電気スタンドとしての意匠性を損なうことなく、照明範囲を容易に変更することができる電気スタンドを提供することにある。
【課題を解決するための手段】
【０００７】
そこで本発明の電気スタンドは、光源を構成する灯具と、前記灯具を所定の位置に取り付け可能な取り付け領域を有するスタンド部とを具備している。
【０００８】
また本発明は、上記電気スタンドにおいて、前記灯具は、前記スタンド部の長手方向に沿って離間し、前記取り付け領域に設けられた複数の灯具取り付け部に取り付けられることを特徴とする。
【０００９】
また本発明は、上記電気スタンドにおいて、前記灯具は、前記取り付け領域に連続して設けられた灯具取り付け部の任意の位置に取り付け可能であることを特徴とする。
【００１０】
また本発明は、上記電気スタンドにおいて、前記灯具は、前記取り付け領域に配設された非接触式給電装置を介して電力が供給されることを特徴とする。
【発明の効果】
【００１１】
本発明の電気スタンドによれば、灯具と、該灯具を所定の位置に取り付け可能な取り付け領域を有するスタンド部とを備えるので、スタンド部の形状を変更することなく、灯具の取り付け位置を、取り付け領域内で変更することができる。これによって、電気スタンド全体としての意匠性を損なうことなく、照明範囲を変更することができる。
【００１２】
また、互いに離間する複数の灯具取り付け部が、取り付け領域に設けられているので、灯具を灯具取り付け部に取り付け直すだけで容易に灯具の位置を変更することができ、電気スタンド全体としての意匠性を損なうことなく、照明範囲を変更することができる。
【００１３】
更に、灯具取り付け部が、取り付け領域に連続して設けられているので、灯具を灯具取り付け領域の任意の位置に取り付けることができ、所望の照明範囲を照明することができる。
【００１４】
また、取り付け領域に配設された非接触式給電装置を介して灯具に電力が供給されるので、コードの損傷や、摩耗部品がなく、ショートや感電の防止と共に、メンテナンスフリーとすることができる。
【図面の簡単な説明】
【００１５】
【図１】本発明の実施の形態１の電気スタンドの側面図
【図２】図１におけるＩＩ‐ＩＩ断面図
【図３】（ａ）は灯具を高い位置に取り付けて全体照明する場合の電気スタンドの側面図、（ｂ）は灯具を低い位置に取り付けて部分照明する場合の電気スタンドの側面図
【図４】各変形例の灯具取り付け部の側面図
【図５】本発明の実施の形態２の電気スタンドの側面図
【図６】図５におけるＶＩ―ＶＩ断面図
【図７】本発明の実施の形態３の電気スタンドの断面図
【図８】非接触給電装置の概略構成図
【図９】従来例の電気スタンドの側面図
【図１０】他の従来例の電気スタンドの側面図
【発明を実施するための形態】
【００１６】
以下、本発明に係る電気スタンドの各実施の形態を図面に基づいて詳細に説明する。
【００１７】
（実施の形態１）
図１は本発明の実施の形態１である電気スタンドの側面図、図２は図１のＩＩ‐ＩＩ断面図であり、電気スタンド１０は、灯具１１と、スタンド部１２とを備えている。灯具１１は、例えばランプソケット１３に装着された白熱電球１４が吊り金具１５によってランプシェード１６内に吊り下げられている。ランプシェード１６は、両端がランプシェード１６の上枠１８に固着された吊り紐１７によってスタンド部１２の所定の位置に取り付けられる。
【００１８】
スタンド部１２は、ベース部２０と、該ベース部２０から垂直上方に延設された脚部２１及び脚部２１に連続して形成され、湾曲しながら斜め上方に延びる懸架部２２とからなる支柱２３を有する。支柱２３は、例えば、断面円形の金属パイプから形成されており、懸架部２２に後述する灯具１１を取り付け可能な取り付け領域Ｐが設定されている。
【００１９】
懸架部２２には、金属パイプの上面から形成された溝部である複数（図１に示す実施の形態では３ヶ所）の灯具取り付け部２４（２４ａ、２４ｂ、２４ｃ）が設けられている。この複数の灯具取り付け部２４の何れかに吊り紐１７を係合することによって、灯具１１がスタンド部１２に取り付けられる。また、懸架部２２の下部には、電源コード２５を挿通可能な長穴２６が取り付け領域Ｐの全域に亘って設けられている（図２参照）。
【００２０】
ベース部２０の内部には、電源コード２５を巻き取り可能なコードリール２７が配置されており、コードリール２７から導出する電源コード２５は、ガイドローラ２８を介して支柱２３内に配索され、ランプソケット１３の電極に接続されている。懸架部２２内に配索される電源コード２５には、懸架部２２に係合する複数（図１に示す実施の形態では２個）のコード保持具２９が固着されており、電源コード２５を懸架部２２内に収容した状態で保持する。これにより、電源コード２５が、長穴２６から懸架部２２の下方に垂下して意匠性を阻害することが防止される。
【００２１】
本実施の形態の作用を説明する。本発明の実施の形態１である電気スタンド１０は、希望の照明範囲を照明するため、灯具１１がスタンド部１２に設けられた複数の灯具取り付け部２４（２４ａ、２４ｂ、２４ｃ）の何れかに取り付けられる。例えば、広い範囲を全体照明する場合、図３（ａ）に示すように、灯具１１の吊り紐１７を懸架部２２先端側の灯具取り付け部２４ａに取り付けることにより、灯具１１を高い位置に配置して広い範囲を照明する。
【００２２】
また、読書などの際に部分照明する場合、図３（ｂ）に示すように、懸架部２２先端側の灯具取り付け部２４ａに掛けられている吊り紐１７を、灯具取り付け部２４ａから外して、懸架部２２根元側の灯具取り付け部２４ｃに掛け替えて灯具１１を低い位置に移動させるだけで容易に照明範囲を変更することができる。
【００２３】
先端側の灯具取り付け部２４ａから根元側の灯具取り付け部２４ｃに灯具１１を移動させることによって電源コード２５が弛む虞があるが、余った電源コード２５は、コードリール２７に巻き取られるので、電源コード２５は支柱２３内にきれいに収容される。また逆に、根元側の灯具取り付け部２４ｃから先端側の灯具取り付け部２４ａに灯具１１を移動させる場合、電源コード２５がコードリール２７から繰り出されるので、灯具１１の移動が、阻害されることはない。
【００２４】
このように、灯具１１の移動と共に電源コード２５も支柱２３内で移動（伸縮）するが、懸架部２２内に収容される電源コード２５は、懸架部２２に摺動可能に係合するコード保持具２９に固着され、保持されているので、電源コード２５が長穴２６から垂下することはなく、懸架部２２内に保持される。
【００２５】
上記したように、本実施の形態の電気スタンド１０によれば、スタンド部１２の形状を維持したまま、灯具取り付け部２４に取り付ける灯具１１の位置を変更できるようにしたので、電気スタンド１０全体としての意匠性を損なうことなく、照明範囲を容易に変更することができる。
【００２６】
（変形例）
図４（ａ）、（ｂ）、（ｃ）は、灯具取り付け部の変形例であり、ピン状、或いは略三角形状の係止片３０が、懸架部２２の上面から突出して設けられている。灯具１１は、吊り紐１７を何れかの係止片３０に係止することによって、懸架部２２の任意の位置に取り付けられる。なお、係止片３０は、内蔵するバネなどによって懸架部２２から出没自在に構成されていれば、灯具１１の移動が更に容易となる。
【００２７】
（実施の形態２）
次に、本発明の実施の形態２である電気スタンドについて、図５および図６を参照して説明する。図５は実施の形態２の電気スタンドの側面図、図６は図５のＶＩ―ＶＩ断面図である。
【００２８】
実施の形態２の電気スタンド１０は、灯具取り付け部が取り付け領域Ｐの全域に亘って連続して設定されている。従って、灯具１１は、取り付け領域Ｐの任意の位置に取り付けることができる点で実施の形態１の電気スタンドと異なる。他の構成は前記実施の形態１の電気スタンドと同様である。なお、実施の形態１の電気スタンドと同一部分には同一符号を付した。
【００２９】
図５及び図６に示すように、支柱２３の懸架部２２は、樹脂などの絶縁材料によって下方が解放された断面略逆Ｕ字形に形成されている。懸架部２２内には、一対の電極板４１Ａ、４１Ｂが、懸架部２２の長手方向に沿って形成された電極板収容溝４２に収容されている。一対の電極板４１Ａ、４１Ｂは、それぞれ電源コード２５に接続されている。また、懸架部２２の内部には、左右側面に水平方向に形成された一対の係合溝４３Ａ、４３Ｂ、及び天井部下面に形成された突堤４４が、懸架部２２の長手方向に沿って連続形成されている。
【００３０】
灯具ホルダー４５は、樹脂などの絶縁材料によって成形されたブロック状の部材であり、懸架部２２に摺動自在に嵌合する。灯具ホルダー４５には、一対の係止突起部４６Ａ、４６Ｂが長手方向に沿って形成されており、懸架部２２の一対の係合溝４３Ａ、４３Ｂにそれぞれ係合している。これにより、灯具ホルダー４５は、係止突起部４６Ａ、４６Ｂが係合溝４３Ａ、４３Ｂに案内されて懸架部２２に沿って摺動可能となっている。また、灯具ホルダー４５の上面には、コの字溝４７が長手方向に沿って形成されており、懸架部２２の突堤４４が嵌合する。懸架部２２の突堤４４と、灯具ホルダー４５のコの字溝４７との間には、板バネ４８が装着されており、灯具ホルダー４５と懸架部２２との間に摺動抵抗を付与する。
【００３１】
また、灯具ホルダー４５には、一対の電極板４１Ａ、４１Ｂに対応して設けられた水平穴４９と、水平穴４９から下方に貫通するコード穴５０とからなるＴ字穴が略中央部に形成されている。水平穴４９には、一対の電極板５１Ａ、５１Ｂが配置されており、それぞれの電極板５１Ａ、５１Ｂは、コイルばね５２Ａ、５２Ｂによって電極板４１Ａ、４１Ｂに常に押圧される摺動接触子５３Ａ、５３Ｂに電気的に接続されている。一対の電極板５１Ａ、５１Ｂには、白熱電球１４が装着されるランプソケット１３に一端が接続された電気コード５５が接続されている。
【００３２】
従って、灯具ホルダー４５の取り付け位置に係わらず、電極板４１Ａ、４１Ｂと摺動接触子５３Ａ、５３Ｂは常に接触しているので、灯具ホルダー４５を取り付け領域Ｐの任意の位置に移動させても、電極板４１Ａ、４１Ｂ、摺動接触子５３Ａ、５３Ｂ、電極板５１Ａ、５１Ｂ、及び電気コード５５を介して常にランプソケット１３に給電が実現される。
【００３３】
本実施の形態の電気スタンド１０によれば、灯具ホルダー４５を懸架部２２に沿わせて移動させ、取り付け領域Ｐの連続した任意の位置に配置することができ、これによって、スタンド部１２の形状を変更することなく、電気スタンド１０全体としての意匠性を維持したまま、所望の照明範囲を効率的に照明することができる。
【００３４】
（実施の形態３）
次に、本発明の実施の形態３である電気スタンドについて、図７および図８を参照して説明する。図７は実施の形態３の電気スタンドの要部断面図、図８は非接触給電装置の概略構成図である。
【００３５】
図７に示すように、実施の形態３の電気スタンド１０は、非接触式給電装置６０によって電力がランプソケット１３（白熱電球１４）に供給される点で、実施の形態２である電気スタンドと異なり、その他の部分については、本発明の実施の形態２の電気スタンドと同様であるので、同一部分には同一符号又は相当符号を付して説明を簡略化又は省略する。
【００３６】
本実施の形態の電気スタンド１０は、図７に示すように、電磁鋼板が積層されてなる給電側コア６１が、懸架部２２の灯具取り付け部となる複数個所に配設されている。給電側コア６１には、電源コード２５に接続された給電側コイル６２が巻かれている。一方、係止突起部４６Ａ、４６Ｂが係合溝４３Ａ、４３Ｂに係合し、懸架部２２に摺動自在に嵌合する灯具ホルダー４５には、電磁鋼板が積層されてなる受電側コア６３が収容されている。受電側コア６３に巻かれた受電側コイル６４には、一端がランプソケット１３に接続された電気コード５５の他端が接続されている。
【００３７】
懸架部２２に摺動自在に嵌合する灯具ホルダー４５が、懸架部２２の灯具取り付け部（給電側コア６１の配置位置）に取り付けられたとき、給電側コア６１と、受電側コア６３とは、微小な隙間Ｃを介して対向配置されるようになっており、これにより、非接触式給電装置６０が構成されて、給電側コイル６２から受電側コイル６４に、非接触で電力が供給される。
【００３８】
非接触式給電装置６０は、電磁誘電作用により給電側コイル６２から受電側コイル６４に電力を伝達するものであり、例えば、図８に示すように構成される。即ち、給電側コア６１に巻かれた給電側コイル６２には、給電回路であるコイル駆動回路６５、及び整流回路６６を介して交流電源６７が接続される。また、受電側コア６３に巻かれた受電側コイル６４には、平滑回路６８を介して負荷である白熱電球１４が接続されている。
【００３９】
交流電源６７から入力した交流電圧は、整流回路６６で直流に変換され、コイル駆動回路６５から給電側コイル６２に高周波の方形波電圧として加えられる。給電側コイル６２で発生した磁束は、隙間Ｃを介して受電側コイル６４に鎖交し、受電側コイル６４に高周波電圧を発生させる。受電側コイル６４に発生した高周波電圧は、平滑回路６８で直流に変換されて白熱電球１４に供給される。
【００４０】
上記したように、本実施の形態の電気スタンド１０によれば、取り付け領域Ｐに配設された非接触式給電装置６０を介して灯具１１に電力が供給されるので、電源コード２５を損傷する虞がなく、また摩耗部品がないので、ショートや感電が防止されると共に、メンテナンスフリーとすることができる。
【００４１】
上記実施の形態では、複数の給電側コア６１が、懸架部２２の灯具取り付け部に個別に配設されており、灯具ホルダー４５が灯具取り付け部に対応する部位に位置したとき、給電されるものとして説明したが、取り付け領域Ｐ内の連続する任意の位置で灯具１１に給電するように構成することもできる。
【００４２】
なお、本発明は、前述した実施の形態及び変形例に限定されるものではなく、適宜、変形、改良が可能である。例えば、上記実施の形態では灯具は白熱電球としたが、これに限定されることなく、蛍光灯、ＬＥＤ照明、面発光が可能な有機エレクトロ・ルミネッセンス（有機ＥＬ）なども適用可能である。
【符号の説明】
【００４３】
１、１０  電気スタンド
１１  灯具
１２  スタンド部
２４（２４ａ、２４ｂ、２４ｃ）  灯具取り付け部
６０  非接触式給電装置
Ｐ    取り付け領域
【図１】
2011113751.tif 000003
【図２】
2011113751.tif 000004
【図３】
2011113751.tif 000005
【図４】
2011113751.tif 000006
【図５】
2011113751.tif 000007
【図６】
2011113751.tif 000008
【図７】
2011113751.tif 000009
【図８】
2011113751.tif 000010
【図９】
2011113751.tif 000011
【図１０】
2011113751.tif 000012